(57)【要約】【課題】申込書に添付された顔写真（生体情報）が適切であるかどうか一定の判定基準で機械が判断することができ、しかも、顔写真（生体情報）と本人の顔画像との生体照合を機械的に行なうことにより本人であることを確認することができる申込書受付装置および個人認証用媒体発行システムを提供する。【解決手段】ＩＤカードの発行を申込む申込者が提示する、当該申込者の顔写真が添付され、かつ、当該申込者の個人情報等の情報が記載された申込書から前記顔写真および個人情報等の情報を読取り、この読取られた顔写真の品質が適切であるか否かを判定し、顔写真の品質が適切であると判定された場合、前記申込者の顔画像を取得し、この取得された顔画像と前記読取られた顔写真とを照合することにより前記申込者が本人であるか否かを判定する。【選択図】      図１
2009032117.tif 000002
【特許請求の範囲】
【請求項１】
個人認証用媒体の発行を申込む申込者が提示する、当該申込者の生体情報が添付され、かつ、当該申込者の個人情報等の情報が記載された申込書から前記生体情報および個人情報等の情報を読取る読取手段と、
この読取手段により読取られた生体情報の品質が適切であるか否かを判定する判定手段と、
この判定手段により生体情報の品質が適切であると判定された場合、前記申込者の生体情報を取得する生体情報取得手段と、
この生体情報取得手段により取得された生体情報と前記読取手段により読取られた生体情報とを照合することにより前記申込者が本人であるか否かを判定する照合手段と、
を具備したことを特徴とする申込書受付装置。
【請求項２】
個人認証用媒体の発行を申込む申込者が提示する、当該申込者の生体情報が添付され、かつ、当該申込者の個人情報等の情報が記載された申込書から前記生体情報および個人情報等の情報を読取る読取手段と、
この読取手段により読取られた生体情報の品質が適切であるか否かを判定する判定手段と、
この判定手段により生体情報の品質が適切であると判定された場合、前記申込者の生体情報を取得する生体情報取得手段と、
この生体情報取得手段により取得された生体情報と前記読取手段により読取られた生体情報とを照合することにより前記申込者が本人であるか否かを判定する照合手段と、
この照合手段による照合の結果、前記申込者が本人であると判定された場合、前記読取手段により読取られた申込者の生体情報および個人情報等の情報に基づき個人認証用媒体の発行情報を作成する発行情報作成手段と、
この発行情報作成手段により作成された発行情報に基づき個人認証用媒体を発行する発行手段と、
を具備したことを特徴とする個人認証用媒体発行システム。
【請求項３】
個人認証用媒体の発行を申込む申込者が提示する、当該申込者の顔写真が添付され、かつ、当該申込者の個人情報等の情報が記載された申込書から前記顔写真および個人情報等の情報を読取る読取手段と、
この読取手段により読取られた顔写真の品質が適切であるか否かを判定する判定手段と、
この判定手段により顔写真の品質が適切であると判定された場合、前記申込者の顔画像を取得する画像取得手段と、
この画像取得手段により取得された顔画像と前記読取手段により読取られた顔写真とを照合することにより前記申込者が本人であるか否かを判定する照合手段と、
を具備したことを特徴とする申込書受付装置。
【請求項４】
個人認証用媒体の発行を申込む申込者が提示する、当該申込者の顔写真が添付され、かつ、当該申込者の個人情報等の情報が記載された申込書から前記顔写真および個人情報等の情報を読取る読取手段と、
この読取手段により読取られた顔写真の品質が適切であるか否かを判定する判定手段と、
この判定手段により顔写真の品質が適切であると判定された場合、前記申込者の顔画像を取得する画像取得手段と、
この画像取得手段により取得された顔画像と前記読取手段により読取られた顔写真とを照合することにより前記申込者が本人であるか否かを判定する照合手段と、
この照合手段による照合の結果、前記申込者が本人であると判定された場合、前記読取手段により読取られた申込者の顔写真および個人情報等の情報に基づき個人認証用媒体の発行情報を作成する発行情報作成手段と、
この発行情報作成手段により作成された発行情報に基づき個人認証用媒体を発行する発行手段と、
を具備したことを特徴とする個人認証用媒体発行システム。
【発明の詳細な説明】
【技術分野】
【０００１】
本発明は、たとえば、自動車の運転免許証や各種証明書（カードタイプや冊子タイプを含む）など、人物の生体情報としての顔写真と個人情報を印刷した顔写真付き個人認証用媒体の発行を申込む申込書を受付ける申込書受付装置、および、この申込書受付装置で受付けた申込書の内容に基づき顔写真付き個人認証用媒体を発行する個人認証用媒体発行システムに関する。
【背景技術】
【０００２】
たとえば、この種の個人認証用媒体として各種免許証や各種証明書として用いられるＩＣチップ付のＩＤカードが知られている。このようなＩＣチップ付のＩＤカードを発行する場合、まず、ＩＤカードの発行を希望する申込者がＩＤカードの発行を申込みするべく、申込書に顔写真を添付するとともに個人情報等その他の必要情報を記入し、発行元（発行サイト）に申込む。
【０００３】
発行元では、担当者により申込書の内容に基づくカード発行可否の審査を行ない、合格者に対し、申込書受付装置で申込書の内容を読取り電子データ化することで、申込情報を作成して発行サーバに登録し、発行端末装置にて、登録された申込情報（顔画像や個人情報）に基づき発行情報を作成し、作成した発行情報に基づきカード表面（印刷面）への顔写真や個人情報の印刷、および、カード内のＩＣチップへの顔写真や個人情報の記録を行なうことで、ＩＤカードの発行を行ない、発行したＩＤカードを申込者に対し引き渡すようになっている（たとえば、特許文献１、特許文献２参照）。
【特許文献１】特開２００２−３１２５１９号公報
【特許文献２】特開２００５−１１５８４４号公報
【発明の開示】
【発明が解決しようとする課題】
【０００４】
ところが、たとえば、顔写真により生体認証を行なうようなシステムにおいては、受付ける顔写真の品質（顔のサイズや向き、解像度、外光や背景等の環境条件も含む）が極めて重要になるが、顔写真の品質の判断を申込書の受付けを行なう担当者の判断にゆだねると品質が一定せず、実際に生体認証を行なう際に支障がでる場合がある。
【０００５】
そこで、本発明は、申込書に添付された顔写真（生体情報）が適切であるかどうか一定の判定基準で機械が判断することができ、しかも、顔写真（生体情報）と本人の顔画像との生体照合を機械的に行なうことにより本人であることを確認することができる申込書受付装置および個人認証用媒体発行システムを提供することを目的とする。
【課題を解決するための手段】
【０００６】
本発明の申込書受付装置は、個人認証用媒体の発行を申込む申込者が提示する、当該申込者の生体情報が添付され、かつ、当該申込者の個人情報等の情報が記載された申込書から前記生体情報および個人情報等の情報を読取る読取手段と、この読取手段により読取られた生体情報の品質が適切であるか否かを判定する判定手段と、この判定手段により生体情報の品質が適切であると判定された場合、前記申込者の生体情報を取得する生体情報取得手段と、この生体情報取得手段により取得された生体情報と前記読取手段により読取られた生体情報とを照合することにより前記申込者が本人であるか否かを判定する照合手段とを具備している。
【０００７】
また、本発明の個人認証用媒体発行システムは、個人認証用媒体の発行を申込む申込者が提示する、当該申込者の生体情報が添付され、かつ、当該申込者の個人情報等の情報が記載された申込書から前記生体情報および個人情報等の情報を読取る読取手段と、この読取手段により読取られた生体情報の品質が適切であるか否かを判定する判定手段と、この判定手段により生体情報の品質が適切であると判定された場合、前記申込者の生体情報を取得する生体情報取得手段と、この生体情報取得手段により取得された生体情報と前記読取手段により読取られた生体情報とを照合することにより前記申込者が本人であるか否かを判定する照合手段と、この照合手段による照合の結果、前記申込者が本人であると判定された場合、前記読取手段により読取られた申込者の生体情報および個人情報等の情報に基づき個人認証用媒体の発行情報を作成する発行情報作成手段と、この発行情報作成手段により作成された発行情報に基づき個人認証用媒体を発行する発行手段とを具備している。
【発明の効果】
【０００８】
本発明によれば、申込書に添付された顔写真（生体情報）が適切であるかどうか一定の判定基準で機械が判断することができ、しかも、顔写真（生体情報）と本人の顔画像との生体照合を機械的に行なうことにより本人であることを確認することができる申込書受付装置および個人認証用媒体発行システムを提供できる。
【発明を実施するための最良の形態】
【０００９】
以下、本発明の実施の形態について図面を参照して説明する。  
なお、以下の説明では、人物の生体情報として顔写真（顔画像）を用いた場合を例として述べるが、顔写真（顔画像）以外に、指紋画像、虹彩画像、静脈画像などの他の生体情報を用いても同様に実施できる。
【００１０】
図１は、本実施の形態に係る申込書受付装置を兼ねた個人認証用媒体発行システムの構成を概略的に示すものである。この個人認証用媒体発行システムは、たとえば、自動車の運転免許証や各種証明書として用いられる顔写真付きＩＤカードの発行を申込む申込書を受付けるとともに、この受付けた申込書の内容に基づき顔写真付きＩＤカードを発行するもので、読取手段としての申込書読取部１１、生体情報取得手段（画像取得手段）としての撮影部１２、判定手段、照合手段、発行情報作成手段としての制御部１３、記憶手段としてのデータベース１４、および、発行手段としての発行部１５を有して構成されている。
【００１１】
申込書読取部１１は、顔写真付きＩＤカードの発行を申込む申込者が提示する申込書Ａがセットされることで、当該申込書Ａの内容（貼付された顔写真や記載された個人情報等）を読取って電子データ化するもので、この実施の形態では、たとえば、スキャナを用いている。
【００１２】
撮影部１２は、申込書Ａを提示した申込者の顔画像（静止画あるいは動画）を撮影して取得するもので、この実施の形態では、たとえば、ビデオカメラあるいは電子カメラを用いている。
【００１３】
制御部１３は、顔写真の品質判定、本人確認の照合、申込情報の作成・登録および発行情報の作成など各種処理を行なうとともに全体的な制御を行なうもので、この実施の形態では、たとえば、パーソナルコンピュータを用いている。
【００１４】
データベース１４は、制御部１３で作成された申込情報を保存するものである。なお、データベース１４は制御部１３内に設けてもよいし、ネットワークで接続された外部サーバ内に設けてもよい。
【００１５】
発行部１５は、制御部１３で作成された発行情報に基づき顔写真付きＩＤカードＢを発行するもので、ＩＤカードＢの表面に顔写真や個人情報などを印刷する印刷部、および、ＩＤカードＢ内のメモリ媒体に対しデータの読取りや書込みを行なうＩＣリーダライタを有している。
【００１６】
図２は、申込書Ａの具体例を示している。申込書Ａには、申込者の氏名や生年月日などの人定事項（個人情報など）および申込みの種類などの情報３１が記載されているとともに、申込者の顔写真３２が貼付されている。
【００１７】
なお、図２の例では、必要事項などの情報３1を記述し、かつ、申込者の顔写真３２を貼付したイメージの申込書Ａを用いたが、実際には顔写真３２が貼付されるかどうかは問わないし、電子的手段により申込むことにより申込書Ａが存在しない場合もある。本実施の形態では、あくまで申込書Ａにより申込まれた後に受付担当者の手によって電子データ化される場合の例である。
【００１８】
図３は、発行された顔写真付きＩＤカードＢの具体例を示している。ＩＤカードＢは、たとえば、接触式のＩＣカードで、その表面には、氏名や生年月日などの人定事項（個人情報）４１および顔写真（顔画像）４２が印刷されているとともに、外部装置（ＩＣリーダライタ等）と通信を行なうためのコンタクト部４３が設けられている。コンタクト部４３は、内部に埋設されたメモリ媒体としてのＩＣチップ４４に接続されている。
【００１９】
なお、ＩＤカードＢとして用いるＩＣカードは、接触式のＩＣカードに限らず、外部装置（ＩＣリーダライタ等）との間で無線で通信を行なう非接触式のＩＣカードであってもよい。
【００２０】
また、図３の例では、一般的なクレジットカードと同様な大きさで、カード表面に申込者本人の情報や顔写真を印刷するイメージのＩＤカードＢを用いたが、顔写真の電子データを含むのであれば、媒体の種類（カード、紙、携帯端末機、冊子や手帳の形態など）は問わない。
【００２１】
図４は、データベース１４に保存（登録）される申込情報の具体例を示している。申込情報は、たとえば、管理番号５１、申込みの種類情報５２、申込者の顔写真（顔画像）５３、顔認証用の辞書情報５４、および、氏名、性別、生年月日等の申込者の個人情報５５を有して構成される。
【００２２】
次に、上記のような構成において、申込書の受付けから顔写真付きＩＤカードの発行までの動作を図５に示すフローチャートを参照して説明する。
【００２３】
まず、ＩＤカードの発行を申込む申込者は発行サイトにて申込書Ａを提出する（ステップＳ１）。発行サイトでは、受付け担当者が提出された申込書Ａなどの必要書類が完備しているかどうかの確認を行ない（ステップＳ２）、その後、申込書Ａを申込書読取部１１にセットすることにより、申込書Ａの内容（人定事項などの情報３１、顔写真３２）を読取り、制御部１３で読取情報の電子データ化（顔写真の電子データ化、文字情報のテキストデータ化など）を行なう（ステップＳ３）。
【００２４】
次に、制御部１３は、申込書Ａから読取った顔写真３２の品質が適切であるか否かを判定する（ステップＳ４）。顔写真の品質判定は、たとえば、顔写真の画像情報を解析することにより、顔のサイズや向き、解像度、外光や背景等の環境条件があらかじめ定められた一定の判定基準値を満たすか否かにより判定する。
【００２５】
ステップＳ４における判定の結果、申込書Ａから読取った顔写真３２の品質が適切である場合、制御部１３は、申込書Ａから読取った記載内容に基づき図４に示した申込情報を作成し、データベース１４に登録する（ステップＳ５）。  
なお、申込情報内の顔認証用の辞書情報５４は、申込書Ａから読取った顔写真３２の画像情報から顔の特徴情報を抽出し、この抽出した特徴情報から作成される。
【００２６】
次に、制御部１３は、撮影部１２により、申込書Ａを提示した申込者の顔画像を取得し（ステップＳ６）、取得した顔画像と先にデータベース１４に登録された申込情報内の顔認証用の辞書情報５４とを照合することにより、当該申込者が本人であるか否かを判定する（ステップＳ７）。  
具体的には、取得した申込者の顔画像から顔の特徴情報を抽出し、この抽出した特徴情報と先にデータベース１４に登録された申込情報内の顔認証用の辞書情報５４とを照合することにより、当該申込者が本人であるか否かを判定する。
【００２７】
ステップＳ７における判定の結果、当該申込者が本人である場合、制御部１３は、データベース１４から先に登録された申込情報を取得し、この取得した申込情報に基づきＩＤカードＢの発行情報を作成し、この作成した発行情報を発行部１５へ送る（ステップＳ８）。
【００２８】
発行部１５は、制御部１３から送られた発行情報に基づき、カード表面に顔写真４２や個人情報４１などを印刷するとともに、ＩＣチップ４４に顔写真や個人情報などを書込むことで、ＩＤカードＢを発行し（ステップＳ９）、当該申込者に手渡す。
【００２９】
ステップＳ４における判定の結果、申込書Ａから読取った顔写真３２の品質が適切でない場合、あるいは、ステップＳ７における判定の結果、当該申込者が本人でない場合、制御部１３は、図示しないディスプレイなどの案内装置により、顔写真の品質が適切でないので発行不可である旨のメッセージ、あるいは、申込者が本人でないので発行不可である旨のメッセージを出力し、動作を終了する（ステップＳ１０）。
【００３０】
以上説明したように、上記実施の形態によれば、受付ける顔写真の品質が極めて重要になる、顔写真により生体認証を行なうようなシステムに用いる顔写真付きＩＤカードの発行を申込む際、申込書に貼付された顔写真が適切であるかどうか、一定の判定基準で判断することができる。  
また、運用上本人が申込むことが必要な申込書の受付けにおいて、申込書に貼付された顔写真と本人の顔画像との生体照合を機械的に行なうことによって、本人であることを確認することができる。
【図面の簡単な説明】
【００３１】
【図１】本発明の実施の形態に係る申込書受付装置を兼ねた個人認証用媒体発行システムの構成を概略的に示すブロック図。
【図２】申込書の具体例を示す平面図。
【図３】ＩＤカードの具体例を示す平面図。
【図４】データベースに保存される申込情報の具体例を示す模式図。
【図５】動作を説明するフローチャート。
【符号の説明】
【００３２】
１１…申込書読取部（読取手段）、１２…撮影部（生体情報取得手段、画像取得手段）、１３…制御部（判定手段、照合手段、発行情報作成手段）、１４…データベース（記憶手段）、１５…発行部（発行手段）、Ａ…申込書、３１…人定事項（個人情報）などの情報、３２…顔写真（顔画像）、Ｂ…ＩＤカード（個人認証用媒体）、４１…人定事項（個人情報）、４２…顔写真（顔画像）、４４…ＩＣチップ（メモリ媒体）。
【図１】
2009032117.tif 000003
【図２】
2009032117.tif 000004
【図３】
2009032117.tif 000005
【図４】
2009032117.tif 000006
【図５】
2009032117.tif 000007